(57)【要約】  本発明は、セルのアクティブ化及び非アクティブ化方法、端末装置及びコンピュータ記憶媒体を開示する。前記方法は、ターゲット帯域幅部分（ＢＷＰ）をアクティブ化する命令に基づいて、前記ターゲットＢＷＰに対応するセカンダリセルをアクティブ化すること、及び／又はターゲットＢＷＰを非アクティブ化する命令に基づいて、前記ターゲットＢＷＰに対応するセカンダリセルを非アクティブ化することを含む。
2021501483.tif 000002
【特許請求の範囲】
【請求項１】
端末装置に適用されるセルのアクティブ化及び非アクティブ化方法であって、
ターゲット帯域幅部分（ＢＷＰ）をアクティブ化する命令に基づいて、前記ターゲットＢＷＰに対応するセカンダリセルをアクティブ化すること、及び／又は
ターゲットＢＷＰを非アクティブ化する命令に基づいて、前記ターゲットＢＷＰに対応するセカンダリセルを非アクティブ化することを含むことを特徴とする、前記方法。
【請求項２】
前記方法は更に、
前記セカンダリセルのために少なくとも１つの対応するＢＷＰを設定することであって、前記ＢＷＰが、少なくとも１つの下りＢＷＰを含むことを含むことを特徴とする
請求項１に記載の方法。
【請求項３】
前記ターゲットＢＷＰに対応するセカンダリセルをアクティブ化する前に、前記方法は更に、
ターゲット帯域幅部分（ＢＷＰ）をアクティブ化する命令に基づいて、前記ターゲットＢＷＰに対応するセカンダリセルをアクティブ化するかどうかを判定することを含むことを特徴とする
請求項１に記載の方法。
【請求項４】
ターゲット帯域幅部分（ＢＷＰ）をアクティブ化する命令に基づいて、前記ターゲットＢＷＰに対応するセカンダリセルをアクティブ化するかどうかを判定することは、
前記ターゲットＢＷＰをアクティブ化する命令に基づいて、前記ターゲットＢＷＰに対応するセカンダリセルがアクティブ状態にあるかどうかを判定することと、
前記ターゲットＢＷＰに対応するセカンダリセルが非アクティブ状態にあれば、前記セカンダリセルをアクティブ化し、且つ前記セカンダリセルにおけるターゲットＢＷＰをアクティブ化すると決定することとを含むことを特徴とする
請求項３に記載の方法。
【請求項５】
前記ターゲットＢＷＰに対応するセカンダリセルを非アクティブ化する前に、前記方法は更に、
ターゲットＢＷＰを非アクティブ化する命令に基づいて、前記ターゲットＢＷＰに対応するセカンダリセルを非アクティブ化するかどうかを判定することを含むことを特徴とする
請求項１に記載の方法。
【請求項６】
ターゲットＢＷＰをアクティブ化する命令に基づいて、前記ターゲットＢＷＰに対応するセカンダリセルを非アクティブ化するかどうかを判定することは、
端末がターゲットＢＷＰを非アクティブ化する命令を受信した時、ターゲットＢＷＰの所在するセカンダリセルに、前記ターゲットＢＷＰを非アクティブ化した後にアクティブ状態にある他のＢＷＰが存在するかどうかを判定することと、
存在しなければ、前記ターゲットＢＷＰの所在するセカンダリセルを非アクティブ化し、そうでなければ、前記セカンダリセルを非アクティブ化しないこととを含むことを特徴とする
請求項５に記載の方法。
【請求項７】
端末装置であって、
ターゲット帯域幅部分（ＢＷＰ）をアクティブ化する命令に基づいて、前記ターゲットＢＷＰに対応するセカンダリセルをアクティブ化するように構成され、及び／又は
ターゲットＢＷＰを非アクティブ化する命令に基づいて、前記ターゲットＢＷＰに対応するセカンダリセルを非アクティブ化するように構成される処理ユニットを備えることを特徴とする、前記端末装置。
【請求項８】
前記端末装置は更に、
前記セカンダリセルのために少なくとも１つの対応するＢＷＰを設定するように構成され、前記ＢＷＰが、少なくとも１つの下りＢＷＰを含む設定ユニットを備えることを特徴とする
請求項７に記載の端末装置。
【請求項９】
前記処理ユニットは、ターゲット帯域幅部分（ＢＷＰ）をアクティブ化する命令に基づいて、前記ターゲットＢＷＰに対応するセカンダリセルをアクティブ化するかどうかを判定するように構成されることを特徴とする
請求項７に記載の端末装置。
【請求項１０】
前記処理ユニットは、前記ターゲットＢＷＰをアクティブ化する命令に基づいて、前記ターゲットＢＷＰに対応するセカンダリセルがアクティブ状態にあるかどうかを判定し、
前記ターゲットＢＷＰに対応するセカンダリセルが非アクティブ状態にあれば、前記セカンダリセルをアクティブ化し、且つ前記セカンダリセルにおけるターゲットＢＷＰをアクティブ化すると決定するように構成されることを特徴とする
請求項９に記載の端末装置。
【請求項１１】
前記処理ユニットは、ターゲットＢＷＰを非アクティブ化する命令に基づいて、前記ターゲットＢＷＰに対応するセカンダリセルを非アクティブ化するかどうかを判定するように構成されることを特徴とする
請求項７に記載の端末装置。
【請求項１２】
前記処理ユニットは、端末がターゲットＢＷＰを非アクティブ化する命令を受信した時、ターゲットＢＷＰの所在するセカンダリセルに、前記ターゲットＢＷＰを非アクティブ化した後にアクティブ状態にある他のＢＷＰが存在するかどうかを判定し、
存在しなければ、前記ターゲットＢＷＰの所在するセカンダリセルを非アクティブ化し、そうでなければ、前記セカンダリセルを非アクティブ化しないように構成されることを特徴とする
請求項１１に記載の端末装置。
【請求項１３】
端末装置であって、
プロセッサと、プロセッサ上で実行されるコンピュータプログラムを記憶するためのメモリとを備え、
前記プロセッサは、前記コンピュータプログラムを実行する時、請求項１−６のうちいずれか一項に記載の方法の工程を実行するように構成されることを特徴とする、前記端末装置。
【請求項１４】
コンピュータ記憶媒体であって、前記コンピュータ記憶媒体には、コンピュータによる実行可能な命令が記憶されており、前記コンピュータによる実行可能な命令が実行される時、請求項１−６のうちいずれか一項に記載の方法の工程が実現されることを特徴とする、前記コンピュータ記憶媒体。
【発明の詳細な説明】
【技術分野】
【０００１】
本発明は、情報処理技術分野に関し、特にセルのアクティブ化及び非アクティブ化方法、端末装置及びコンピュータ記憶媒体に関する。
【背景技術】
【０００２】
帯域幅部分（Ｂａｎｄｗｉｄｔｈ  Ｐａｒｔ：ＢＷＰ）は周波数領域次元の概念である。また、従来の検討において、１つの時点で、端末が、１つのアクティブ化したＢＷＰのみをサポートすることを仮定している。アクティブ化とは、端末が該ＢＷＰに規定された帯域幅で、データ伝送（上りと下り）、システムメッセージ等を含む信号を受信することが望まれることを指す。
【０００３】
また、従来の検討において、ネットワークが、命令を送信することによって、端末に設定された異なるＢＷＰ間で切り換えるようにし、即ち、現在のＢＷＰを非アクティブ化（ｄｅａｃｔｉｖａｔｅ）させ、新しいＢＷＰをアクティブ化させることが可能である。アクティブ化指令については、種々の態様が存在し得る。
【０００４】
現在、ＬＴＥのキャリアアグリゲーション（ＣＡ）において、セカンダリセルのアクティブ化は、ＭＡＣ  ＣＥによってアクティブ化を指示することで実現することができ、非アクティブ化は、ＭＡＣ  ＣＥ及び設定したｔｉｍｅｒによって実現することができる。セカンダリセルがアクティブ化されたが、該セルに設定したＢＷＰがアクティブ化されていなければ、端末が、依然として該セカンダリセルで作動できない可能性があるという問題が存在し得る。
【発明の概要】
【発明が解決しようとする課題】
【０００５】
上記技術的課題を解決するために、本発明の実施例は、セルのアクティブ化及び非アクティブ化方法、端末装置及びコンピュータ記憶媒体を提供する。
【課題を解決するための手段】
【０００６】
本発明の実施例が提供するセルのアクティブ化及び非アクティブ化方法は、ネットワーク装置に適用されるものであり、該方法は、
ターゲット帯域幅部分（ＢＷＰ）をアクティブ化する命令に基づいて、前記ターゲットＢＷＰに対応するセカンダリセルをアクティブ化すること、及び／又は
ターゲットＢＷＰを非アクティブ化する命令に基づいて、前記ターゲットＢＷＰに対応するセカンダリセルを非アクティブ化することを含む。
【０００７】
上記技術的解決手段において、前記方法は更に、
前記セカンダリセルのために少なくとも１つの対応するＢＷＰを設定することであって、前記ＢＷＰが、少なくとも１つの下りＢＷＰを含むことを含む。
【０００８】
上記技術的解決手段において、前記ターゲットＢＷＰに対応するセカンダリセルをアクティブ化する前に、前記方法は更に、
ターゲット帯域幅部分（ＢＷＰ）をアクティブ化する命令に基づいて、前記ターゲットＢＷＰに対応するセカンダリセルをアクティブ化するかどうかを判定することを含む。
【０００９】
上記技術的解決手段において、ターゲット帯域幅部分（ＢＷＰ）をアクティブ化する命令に基づいて、前記ターゲットＢＷＰに対応するセカンダリセルをアクティブ化するかどうかを判定することは、
前記ターゲットＢＷＰをアクティブ化する命令に基づいて、前記ターゲットＢＷＰに対応するセカンダリセルがアクティブ状態にあるかどうかを判定することと、
前記ターゲットＢＷＰに対応するセカンダリセルが非アクティブ状態にあれば、前記セカンダリセルをアクティブ化し、且つ前記セカンダリセルにおけるターゲットＢＷＰをアクティブ化すると決定することとを含む。
【００１０】
上記技術的解決手段において、前記ターゲットＢＷＰに対応するセカンダリセルを非アクティブ化する前に、前記方法は更に、
ターゲットＢＷＰを非アクティブ化する命令に基づいて、前記ターゲットＢＷＰに対応するセカンダリセルを非アクティブ化するかどうかを判定することを含む。
【００１１】
上記技術的解決手段において、ターゲットＢＷＰをアクティブ化する命令に基づいて、前記ターゲットＢＷＰに対応するセカンダリセルを非アクティブ化するかどうかを判定することは、
端末がターゲットＢＷＰを非アクティブ化する命令を受信した時、ターゲットＢＷＰの所在するセカンダリセルに、前記ターゲットＢＷＰを非アクティブ化した後にアクティブ状態にある他のＢＷＰが存在するかどうかを判定することと、
存在しなければ、前記ターゲットＢＷＰの所在するセカンダリセルを非アクティブ化し、そうでなければ、前記セカンダリセルを非アクティブ化しないこととを含む。
【００１２】
本発明の実施例は、端末装置を提供し、該端末装置は、
ターゲット帯域幅部分（ＢＷＰ）をアクティブ化する命令に基づいて、前記ターゲットＢＷＰに対応するセカンダリセルをアクティブ化するように構成され、及び／又は
ターゲットＢＷＰを非アクティブ化する命令に基づいて、前記ターゲットＢＷＰに対応するセカンダリセルを非アクティブ化するように構成される処理ユニットを備える。
【００１３】
上記技術的解決手段において、前記端末装置は更に、
前記セカンダリセルのために少なくとも１つの対応するＢＷＰを設定するように構成され、前記ＢＷＰが、少なくとも１つの下りＢＷＰを含む設定ユニットを備える。
【００１４】
上記技術的解決手段において、前記処理ユニットは、ターゲット帯域幅部分（ＢＷＰ）をアクティブ化する命令に基づいて、前記ターゲットＢＷＰに対応するセカンダリセルをアクティブ化するかどうかを判定する。
【００１５】
上記技術的解決手段において、前記処理ユニットは、前記ターゲットＢＷＰをアクティブ化する命令に基づいて、前記ターゲットＢＷＰに対応するセカンダリセルがアクティブ状態にあるかどうかを判定し、
前記ターゲットＢＷＰに対応するセカンダリセルが非アクティブ状態にあれば、前記セカンダリセルをアクティブ化し、且つ前記セカンダリセルにおけるターゲットＢＷＰをアクティブ化すると決定する。
【００１６】
上記技術的解決手段において、前記処理ユニットは、ターゲットＢＷＰを非アクティブ化する命令に基づいて、前記ターゲットＢＷＰに対応するセカンダリセルを非アクティブ化するかどうかを判定する。
【００１７】
上記技術的解決手段において、前記処理ユニットは、端末がターゲットＢＷＰを非アクティブ化する命令を受信した時、ターゲットＢＷＰの所在するセカンダリセルに、前記ターゲットＢＷＰを非アクティブ化した後にアクティブ状態にある他のＢＷＰが存在するかどうかを判定し、
存在しなければ、前記ターゲットＢＷＰの所在するセカンダリセルを非アクティブ化し、そうでなければ、前記セカンダリセルを非アクティブ化しない。
【００１８】
本発明の実施例は、端末装置を更に提供する。該端末装置は、プロセッサと、プロセッサ上で実行されるコンピュータプログラムを記憶するためのメモリとを備え、
前記プロセッサは、前記コンピュータプログラムを実行する時、上記方法の工程を実行するように構成される。
【００１９】
本発明の実施例は、コンピュータ記憶媒体を更に提供し、前記コンピュータ記憶媒体には、コンピュータによる実行可能な命令が記憶されており、前記コンピュータによる実行可能な命令が実行される時、上記方法の工程が実現される。
【００２０】
本発明の実施例の技術的解決手段によれば、ターゲットＢＷＰをアクティブ化及び／又は非アクティブ化することで、ターゲットＢＷＰの所在するセカンダリセルをアクティブ化及び／又は非アクティブ化するかどうかを制御することができる。従って、セカンダリセルがアクティブ化された後、該セルに設定されたＢＷＰがアクティブ化されていなければ、端末が依然として該セカンダリセルで作動できないという問題を避け、システムの処理効率を向上させる。
【図面の簡単な説明】
【００２１】
【図１】本発明の実施例が提供するセルのアクティブ化及び非アクティブ化方法のフローチャートである。
【図２】本発明の実施例による端末装置の構成を示す概略図である。
【図３】本発明の実施例によるハードウェアアーキテクチャを示す概略図である。
【発明を実施するための形態】
【００２２】
本発明の実施例の特徴及び要旨をより詳細に理解できるように、以下、図面を参照しながら本発明の実施例の実現形態を詳細に説明する。添付した図面は、参照のためのものに過ぎず、本発明の実施例を限定するものではない。
【００２３】
実施例１
本発明の実施例は、端末装置に適用されるセルのアクティブ化及び非アクティブ化方法を提供する。該方法は、
ターゲット帯域幅部分（ＢＷＰ）をアクティブ化する命令に基づいて、前記ターゲットＢＷＰに対応するセカンダリセルをアクティブ化すること、及び／又は
ターゲットＢＷＰを非アクティブ化する命令に基づいて、前記ターゲットＢＷＰに対応するセカンダリセルを非アクティブ化することを含む。
【００２４】
更に、前記方法において、図１に示すように、本発明は、以下の処理を提供する。
【００２５】
ステップ１０１において、前記セカンダリセルのために少なくとも１つの対応するＢＷＰを設定し、前記ＢＷＰが、少なくとも１つの下りＢＷＰを含む。
【００２６】
ステップ１０２において、ターゲット帯域幅部分（ＢＷＰ）をアクティブ化する命令に基づいて、前記ターゲットＢＷＰに対応するセカンダリセルをアクティブ化し、及び／又は、ターゲットＢＷＰを非アクティブ化する命令に基づいて、前記ターゲットＢＷＰに対応するセカンダリセルを非アクティブ化する。
【００２７】
帯域幅部分（Ｂａｎｄｗｉｄｔｈ  Ｐａｒｔ：ＢＷＰ）について、NRによりサポートされるシステム帯域幅は、ＬＴＥの最大２０ＭＨｚのシステム帯域幅より遥かに大きい。ある端末に対して、能力が限られているため、全てのシステム帯域幅をサポートできるとは限らない。また、スケジューリング効率を高めるために、ＮＲは帯域幅部分（ＢＷＰ）の概念を導入する。ＲＲＣ接続状態で、ネットワークは、端末のために、１つ又は複数のＢＷＰを設定する。ＢＷＰは、主に、ベースパラメータセット及びキャリア間隔ＳＣＳを示すＮｕｍｅｒｏｌｏｇｙと、中央周波数点と、最大システム帯域幅以下である帯域幅という３つのパラメータを含む。
【００２８】
本発明の実施例において、端末は、受信した、あるＢＷＰをアクティブ化する命令に基づいて、ある設定したセカンダリセルをアクティブ化し、それと同時に、端末は、受信した、ＢＷＰを非アクティブ化する命令に基づいて、ある設定した、アクティブ化されたセカンダリセルを非アクティブ化すると決定することもできる。
【００２９】
前記のあるＢＷＰをアクティブ化するとは、あるセカンダリセルに設定されたＢＷＰをアクティブ化することを指す。つまり、１つのセカンダリセルは、複数のＢＷＰを設定することができる。前記アクティブ化されるあるＢＷＰは、設定された複数のＢＷＰのうちのいずれか１つのＢＷＰである。
【００３０】
前記のＢＷＰを非アクティブ化するとは、アクティブ化されたセカンダリセルに設定されたあるＢＷＰを非アクティブ化することを指す。
【００３１】
前記ターゲットＢＷＰに対応するセカンダリセルをアクティブ化する前に、前記方法は更に、
ターゲット帯域幅部分（ＢＷＰ）をアクティブ化する命令に基づいて、前記ターゲットＢＷＰに対応するセカンダリセルをアクティブ化するかどうかを判定することを含む。
【００３２】
以下、ＢＷＰに対応するセカンダリセルのアクティブ化及びＢＷＰに対応するセカンダリセルの非アクティブ化について、それぞれ説明する。
【００３３】
ＢＷＰに対応するセカンダリセルのアクティブ化において、ターゲット帯域幅部分（ＢＷＰ）をアクティブ化する命令に基づいて、前記ターゲットＢＷＰに対応するセカンダリセルをアクティブ化するかどうかを判定する。
【００３４】
具体的には、ターゲット帯域幅部分（ＢＷＰ）をアクティブ化する命令に基づいて、前記ターゲットＢＷＰに対応するセカンダリセルをアクティブ化するかどうかを判定することは、
ターゲットＢＷＰをアクティブ化する前記命令に基づいて、前記ターゲットＢＷＰに対応するセカンダリセルがアクティブ状態にあるかどうかを判定することと、
前記ターゲットＢＷＰに対応するセカンダリセルが非アクティブ状態にあれば、前記セカンダリセルをアクティブ化し、且つ前記セカンダリセルにおけるターゲットＢＷＰをアクティブ化すると決定することとを含む。
【００３５】
つまり、端末は、あるセカンダリセルに設定されたいずれか１つのＢＷＰをアクティブ化する命令を受信した時、該セカンダリセルが非アクティブ状態にあれば、該セカンダリセルをアクティブ化すると共に、該セカンダリセルにおける前記のいずれか１つのＢＷＰもアクティブ化する。
【００３６】
ＢＷＰに対応するセカンダリセルの非アクティブ化において、ターゲットＢＷＰを非アクティブ化する命令に基づいて、前記ターゲットＢＷＰに対応するセカンダリセルを非アクティブ化するかどうかを判定する。
【００３７】
具体的には、ターゲットＢＷＰをアクティブ化する命令に基づいて、前記ターゲットＢＷＰに対応するセカンダリセルを非アクティブ化するかどうかを判定することは、
端末がターゲットＢＷＰを非アクティブ化する命令を受信した時、ターゲットＢＷＰの所在するセカンダリセルに、前記ターゲットＢＷＰを非アクティブ化した後にアクティブ状態にある他のＢＷＰが存在するかどうかを判定することと、
存在しなければ、前記ターゲットＢＷＰの所在するセカンダリセルを非アクティブ化し、そうでなければ、前記セカンダリセルを非アクティブ化しないこととを含む。
【００３８】
端末は、あるセカンダリセルに設定されたＢＷＰを非アクティブ化する命令を受信した時、該セカンダリセルについて、前記ターゲットＢＷＰを非アクティブ化した後に、アクティブ状態にある設定されたＢＷＰが一切存在しなければ、該セカンダリセルを非アクティブ化し、前記ターゲットＢＷＰを非アクティブ化した後に、いずれか１つ又は複数の設定されたＢＷＰがアクティブ状態にあれば、該セカンダリセルをアクティブ化しない。
【００３９】
つまり、該セカンダリセルに他のＢＷＰが存在しない場合のみ、該セカンダリセルを非アクティブ化し、そうでなければ、前記セカンダリセルのアクティブ状態を保持する。
【００４０】
上記から分かるように、上記技術的解決手段によれば、ターゲットＢＷＰをアクティブ化及び／又は非アクティブ化することで、ターゲットＢＷＰの所在するセカンダリセルをアクティブ化及び／又は非アクティブ化するかどうかを制御することができる。従って、セカンダリセルがアクティブ化された後、該セルに設定されたＢＷＰがアクティブ化されていなければ、端末が依然として該セカンダリセルで作動できないという問題を避け、システムの処理効率を向上させる。
【００４１】
実施例２
本発明の実施例は端末装置を提供する。図２に示すように、該端末装置は、
ターゲット帯域幅部分（ＢＷＰ）をアクティブ化する命令に基づいて、前記ターゲットＢＷＰに対応するセカンダリセルをアクティブ化するように構成され、及び／又は
ターゲットＢＷＰを非アクティブ化する命令に基づいて、前記ターゲットＢＷＰに対応するセカンダリセルを非アクティブ化するように構成される処理ユニット２１を備える。
【００４２】
また、前記端末装置は更に、
前記セカンダリセルのために少なくとも１つの対応するＢＷＰを設定するように構成され、前記ＢＷＰが、少なくとも１つの下りＢＷＰを含む設定ユニット２２を備える。
【００４３】
本発明の実施例において、端末は、受信した、あるＢＷＰをアクティブ化する命令に基づいて、ある設定したセカンダリセルをアクティブ化し、それと同時に、端末は、受信した、ＢＷＰを非アクティブ化する命令に基づいて、ある設定した、アクティブ化されたセカンダリセルを非アクティブ化すると決定することもできる。
【００４４】
前記アクティブ化されるあるＢＷＰとは、前記ある設定したセカンダリセルに設定されたＢＷＰを指す。つまり、１つのセカンダリセルは、複数のＢＷＰを設定することができる。前記アクティブ化されるあるＢＷＰは、設定された複数のＢＷＰのうちのいずれか１つのＢＷＰである。
【００４５】
前記非アクティブ化されるＢＷＰとは、前記ある設定した、アクティブ化されたセカンダリセルに設定されたＢＷＰを指す。
【００４６】
前記処理ユニット２１は、ターゲット帯域幅部分（ＢＷＰ）をアクティブ化する命令に基づいて、前記ターゲットＢＷＰに対応するセカンダリセルをアクティブ化するかどうかを判定する。
【００４７】
以下、ＢＷＰに対応するセカンダリセルのアクティブ化及びＢＷＰに対応するセカンダリセルの非アクティブ化について、それぞれ説明する。
【００４８】
ＢＷＰに対応するセカンダリセルのアクティブ化において、処理ユニット２１は、ターゲット帯域幅部分（ＢＷＰ）をアクティブ化する命令に基づいて、前記ターゲットＢＷＰに対応するセカンダリセルをアクティブ化するかどうかを判定する。
【００４９】
具体的には、処理ユニット２１は、ターゲット帯域幅部分（ＢＷＰ）をアクティブ化する前記命令に基づいて、前記ターゲットＢＷＰに対応するセカンダリセルがアクティブ状態にあるかどうかを判定し、
前記ターゲットＢＷＰに対応するセカンダリセルが非アクティブ状態にあれば、前記セカンダリセルをアクティブ化し、且つ前記セカンダリセルにおけるターゲットＢＷＰをアクティブ化すると決定する。
【００５０】
つまり、端末は、あるセカンダリセルに設定されたいずれか１つのＢＷＰをアクティブ化する命令を受信した時、該セカンダリセルが非アクティブ状態にあれば、該セカンダリセルをアクティブ化すると共に、該セカンダリセルにおける前記のいずれか１つのＢＷＰもアクティブ化する。
【００５１】
ＢＷＰに対応するセカンダリセルの非アクティブ化において、ターゲットＢＷＰを非アクティブ化する命令に基づいて、前記ターゲットＢＷＰに対応するセカンダリセルを非アクティブ化するかどうかを判定する。
【００５２】
具体的には、処理ユニット２１は、端末がターゲットＢＷＰを非アクティブ化する命令を受信した時、ターゲットＢＷＰの所在するセカンダリセルに、前記ターゲットＢＷＰを非アクティブ化した後にアクティブ状態にある他のＢＷＰが存在するかどうかを判定し、
存在しなければ、前記ターゲットＢＷＰの所在するセカンダリセルを非アクティブ化し、そうでなければ、前記セカンダリセルを非アクティブ化しない。
【００５３】
端末は、あるセカンダリセルに設定されたＢＷＰを非アクティブ化する命令を受信した時、該セカンダリセルについて、前記ターゲットＢＷＰを非アクティブ化した後に、アクティブ状態にある設定されたＢＷＰが一切存在しなければ、該セカンダリセルを非アクティブ化し、前記ターゲットＢＷＰを非アクティブ化した後に、いずれか１つ又は複数の設定されたＢＷＰがアクティブ状態にあれば、該セカンダリセルをアクティブ化しない。
【００５４】
つまり、該セカンダリセルに他のＢＷＰが存在しない場合のみ、該セカンダリセルを非アクティブ化し、そうでなければ、前記セカンダリセルのアクティブ状態を保持する。
【００５５】
上記から分かるように、上記技術的解決手段によれば、ターゲットＢＷＰをアクティブ化及び／又は非アクティブ化することで、ターゲットＢＷＰの所在するセカンダリセルをアクティブ化及び／又は非アクティブ化するかどうかを制御することができる。従って、セカンダリセルがアクティブ化された後、該セルに設定されたＢＷＰがアクティブ化されていなければ、端末が依然として該セカンダリセルで作動できないという問題を避け、システムの処理効率を向上させる。
【００５６】
本発明の実施例は、端末装置のハードウェアアーキテクチャを更に提供する。図３に示すように、該端末装置のハードウェアアーキテクチャは、少なくとも１つのプロセッサ３１と、メモリ３２と、少なくとも１つのネットワークインタフェース３３とを備える。各コンポーネントはバスシステム３４を介して結合される。バスシステム３４は、これらのコンポーネント間の接続及び通信を実現するために用いられることが理解されたい。バスシステム３４は、データバスに加えて、電源バスと、制御バスと、状態信号バスとを備える。明確にするために、図３において、様々なバスをバスシステム３４とする。
【００５７】
本発明の実施例におけるメモリ３２は、揮発性メモリ又は不揮発性メモリであってもよいし、揮発性メモリと不揮発性メモリの両方を含んでもよい。
【００５８】
幾つかの態様において、メモリ３２には、オペレーティングシステム３２１及びアプリケーションプログラム３２２の実行可能なモジュール又はデータ構成、又はそれらの部分集合、それらの拡張集合が記憶されている。
【００５９】
ここで、前記プロセッサ３１は、ターゲット帯域幅部分（ＢＷＰ）をアクティブ化する命令に基づいて、前記ターゲットＢＷＰに対応するセカンダリセルをアクティブ化し、及び／又は
ターゲットＢＷＰを非アクティブ化する命令に基づいて、前記ターゲットＢＷＰに対応するセカンダリセルを非アクティブ化することができるように設定される。
【００６０】
更に、図３に示した端末装置は、実施例１における全ての方法の工程を実行することができる。ここで説明を省略する。
【００６１】
本発明の実施例は、コンピュータ記憶媒体を提供し、前記コンピュータ記憶媒体には、コンピュータによる実行可能な命令が記憶されており、前記コンピュータによる実行可能な命令が実行される時、上記方法の工程が実現される。
【００６２】
本発明の実施例における上記装置は、ソフトウェア機能モジュールの形式で実現され、且つ独立した製品として販売又は使用される時、１つのコンピュータ読み取り可能な記憶媒体中に記憶されていてもよい。このような理解に基づいて、本発明の実施例の技術的解決手段は、実質的に又は従来技術に貢献する部分は、ソフトウェア製品の形式で表現することができ、当該コンピュータソフトウェア製品は、１つの記憶媒体に記憶されて、若干の命令を含み、一台のコンピュータデバイス（例えば、パーソナルコンピュータ、サーバ、又はネットワークデバイス等）が本発明の各実施例に記述した方法の全て又は一部を実行するようにする。上述の記憶媒体は、Ｕディスク、リムーバブルハードディスク、読み出し専用メモリ（Ｒｅａｄ  Ｏｎｌｙ  Ｍｅｍｏｒｙ：ＲＯＭ）、磁気ディスク、又は光ディスクなどの、プログラムコードを記憶することができる各種の媒体を含んでも良い。このように、本発明の実施例は、ハードウェアとソフトウェアの任意の特定の組み合わせに限定されるものではない。
【００６３】
それに対応して、本発明の実施例はコンピュータ記憶媒体を更に提供し、該コンピュータ記憶媒体にはコンピュータプログラムが記憶されており、該コンピュータプログラムは、本発明の実施例のデータスケジューリング方法を実行するように設定される。
【００６４】
例示するために、既に本発明の好ましい実施例を開示したが、当業者は各種の改良、増加及び切り替えも可能なものであることを意識することができ、このため、本発明の範囲は上記実施例に限定しないべきである。
【図１】
2021501483.tif 000003
【図２】
2021501483.tif 000004
【図３】
2021501483.tif 000005
【手続補正書】
【提出日】令和2年9月1日(2020.9.1)
【手続補正１】
【補正対象書類名】明細書
【補正対象項目名】全文
【補正方法】変更
【補正の内容】
【発明の詳細な説明】
【技術分野】
【０００１】
本発明は、情報処理技術分野に関し、特にセルのアクティブ化及び非アクティブ化方法、端末装置及びコンピュータ記憶媒体に関する。
【背景技術】
【０００２】
帯域幅部分（Ｂａｎｄｗｉｄｔｈ  Ｐａｒｔ：ＢＷＰ）は周波数領域次元の概念である。また、従来の検討において、１つの時点で、端末が、１つのアクティブ化したＢＷＰのみをサポートすることを仮定している。アクティブ化とは、端末が該ＢＷＰに規定された帯域幅で、データ伝送（上りと下り）、システムメッセージ等を含む信号を受信することが望まれることを指す。
【０００３】
また、従来の検討において、ネットワークが、命令を送信することによって、端末に設定された異なるＢＷＰ間で切り換えるようにし、即ち、現在のＢＷＰを非アクティブ化（ｄｅａｃｔｉｖａｔｅ）させ、新しいＢＷＰをアクティブ化させることが可能である。アクティブ化指令については、種々の態様が存在し得る。
【０００４】
現在、ＬＴＥのキャリアアグリゲーション（ＣＡ）において、セカンダリセルのアクティブ化は、ＭＡＣ  ＣＥによってアクティブ化を指示することで実現することができ、非アクティブ化は、ＭＡＣ  ＣＥ及び設定したｔｉｍｅｒによって実現することができる。セカンダリセルがアクティブ化されたが、該セルに設定したＢＷＰがアクティブ化されていなければ、端末が、依然として該セカンダリセルで作動できない可能性があるという問題が存在し得る。
【発明の概要】
【発明が解決しようとする課題】
【０００５】
上記技術的課題を解決するために、本発明の実施例は、セルのアクティブ化及び非アクティブ化方法、端末装置及びコンピュータ記憶媒体を提供する。
【課題を解決するための手段】
【０００６】
本発明の実施例が提供するセルのアクティブ化及び非アクティブ化方法は、端末装置に適用されるものであり、該方法は、
ターゲット帯域幅部分（ＢＷＰ）をアクティブ化する命令に基づいて、前記ターゲットＢＷＰに対応するセカンダリセルをアクティブ化すること、及び／又は
ターゲットＢＷＰを非アクティブ化する命令に基づいて、前記ターゲットＢＷＰに対応するセカンダリセルを非アクティブ化することを含む。
【０００７】
上記技術的解決手段において、前記方法は更に、
前記セカンダリセルのために少なくとも１つの対応するＢＷＰを設定することであって、前記ＢＷＰが、少なくとも１つの下りＢＷＰを含むことを含む。
【０００８】
上記技術的解決手段において、前記ターゲットＢＷＰに対応するセカンダリセルをアクティブ化する前に、前記方法は更に、
ターゲット帯域幅部分（ＢＷＰ）をアクティブ化する命令に基づいて、前記ターゲットＢＷＰに対応するセカンダリセルをアクティブ化するかどうかを判定することを含む。
【０００９】
上記技術的解決手段において、ターゲット帯域幅部分（ＢＷＰ）をアクティブ化する命令に基づいて、前記ターゲットＢＷＰに対応するセカンダリセルをアクティブ化するかどうかを判定することは、
前記ターゲットＢＷＰをアクティブ化する命令に基づいて、前記ターゲットＢＷＰに対応するセカンダリセルがアクティブ状態にあるかどうかを判定することと、
前記ターゲットＢＷＰに対応するセカンダリセルが非アクティブ状態にあれば、前記セカンダリセルをアクティブ化し、且つ前記セカンダリセルにおけるターゲットＢＷＰをアクティブ化すると決定することとを含む。
【００１０】
上記技術的解決手段において、前記ターゲットＢＷＰに対応するセカンダリセルを非アクティブ化する前に、前記方法は更に、
ターゲットＢＷＰを非アクティブ化する命令に基づいて、前記ターゲットＢＷＰに対応するセカンダリセルを非アクティブ化するかどうかを判定することを含む。
【００１１】
上記技術的解決手段において、ターゲットＢＷＰをアクティブ化する命令に基づいて、前記ターゲットＢＷＰに対応するセカンダリセルを非アクティブ化するかどうかを判定することは、
端末がターゲットＢＷＰを非アクティブ化する命令を受信した時、ターゲットＢＷＰの所在するセカンダリセルに、前記ターゲットＢＷＰを非アクティブ化した後にアクティブ状態にある他のＢＷＰが存在するかどうかを判定することと、
存在しなければ、前記ターゲットＢＷＰの所在するセカンダリセルを非アクティブ化し、そうでなければ、前記セカンダリセルを非アクティブ化しないこととを含む。
【００１２】
本発明の実施例は、端末装置を提供し、該端末装置は、
ターゲット帯域幅部分（ＢＷＰ）をアクティブ化する命令に基づいて、前記ターゲットＢＷＰに対応するセカンダリセルをアクティブ化するように構成され、及び／又は
ターゲットＢＷＰを非アクティブ化する命令に基づいて、前記ターゲットＢＷＰに対応するセカンダリセルを非アクティブ化するように構成される処理ユニットを備える。
【００１３】
上記技術的解決手段において、前記端末装置は更に、
前記セカンダリセルのために少なくとも１つの対応するＢＷＰを設定するように構成され、前記ＢＷＰが、少なくとも１つの下りＢＷＰを含む設定ユニットを備える。
【００１４】
上記技術的解決手段において、前記処理ユニットは、ターゲット帯域幅部分（ＢＷＰ）をアクティブ化する命令に基づいて、前記ターゲットＢＷＰに対応するセカンダリセルをアクティブ化するかどうかを判定する。
【００１５】
上記技術的解決手段において、前記処理ユニットは、前記ターゲットＢＷＰをアクティブ化する命令に基づいて、前記ターゲットＢＷＰに対応するセカンダリセルがアクティブ状態にあるかどうかを判定し、
前記ターゲットＢＷＰに対応するセカンダリセルが非アクティブ状態にあれば、前記セカンダリセルをアクティブ化し、且つ前記セカンダリセルにおけるターゲットＢＷＰをアクティブ化すると決定する。
【００１６】
上記技術的解決手段において、前記処理ユニットは、ターゲットＢＷＰを非アクティブ化する命令に基づいて、前記ターゲットＢＷＰに対応するセカンダリセルを非アクティブ化するかどうかを判定する。
【００１７】
上記技術的解決手段において、前記処理ユニットは、端末がターゲットＢＷＰを非アクティブ化する命令を受信した時、ターゲットＢＷＰの所在するセカンダリセルに、前記ターゲットＢＷＰを非アクティブ化した後にアクティブ状態にある他のＢＷＰが存在するかどうかを判定し、
存在しなければ、前記ターゲットＢＷＰの所在するセカンダリセルを非アクティブ化し、そうでなければ、前記セカンダリセルを非アクティブ化しない。
【００１８】
本発明の実施例は、端末装置を更に提供する。該端末装置は、プロセッサと、プロセッサ上で実行されるコンピュータプログラムを記憶するためのメモリとを備え、
前記プロセッサは、前記コンピュータプログラムを実行する時、上記方法の工程を実行するように構成される。
【００１９】
本発明の実施例は、コンピュータ記憶媒体を更に提供し、前記コンピュータ記憶媒体には、コンピュータによる実行可能な命令が記憶されており、前記コンピュータによる実行可能な命令が実行される時、上記方法の工程が実現される。
【００２０】
本発明の実施例の技術的解決手段によれば、ターゲットＢＷＰをアクティブ化及び／又は非アクティブ化することで、ターゲットＢＷＰの所在するセカンダリセルをアクティブ化及び／又は非アクティブ化するかどうかを制御することができる。従って、セカンダリセルがアクティブ化された後、該セルに設定されたＢＷＰがアクティブ化されていなければ、端末が依然として該セカンダリセルで作動できないという問題を避け、システムの処理効率を向上させる。
【図面の簡単な説明】
【００２１】
【図１】本発明の実施例が提供するセルのアクティブ化及び非アクティブ化方法のフローチャートである。
【図２】本発明の実施例による端末装置の構成を示す概略図である。
【図３】本発明の実施例によるハードウェアアーキテクチャを示す概略図である。
【発明を実施するための形態】
【００２２】
本発明の実施例の特徴及び要旨をより詳細に理解できるように、以下、図面を参照しながら本発明の実施例の実現形態を詳細に説明する。添付した図面は、参照のためのものに過ぎず、本発明の実施例を限定するものではない。
【００２３】
実施例１
本発明の実施例は、端末装置に適用されるセルのアクティブ化及び非アクティブ化方法を提供する。該方法は、
ターゲット帯域幅部分（ＢＷＰ）をアクティブ化する命令に基づいて、前記ターゲットＢＷＰに対応するセカンダリセルをアクティブ化すること、及び／又は
ターゲットＢＷＰを非アクティブ化する命令に基づいて、前記ターゲットＢＷＰに対応するセカンダリセルを非アクティブ化することを含む。
【００２４】
更に、前記方法において、図１に示すように、本発明は、以下の処理を提供する。
【００２５】
ステップ１０１において、前記セカンダリセルのために少なくとも１つの対応するＢＷＰを設定し、前記ＢＷＰが、少なくとも１つの下りＢＷＰを含む。
【００２６】
ステップ１０２において、ターゲット帯域幅部分（ＢＷＰ）をアクティブ化する命令に基づいて、前記ターゲットＢＷＰに対応するセカンダリセルをアクティブ化し、及び／又は、ターゲットＢＷＰを非アクティブ化する命令に基づいて、前記ターゲットＢＷＰに対応するセカンダリセルを非アクティブ化する。
【００２７】
帯域幅部分（Ｂａｎｄｗｉｄｔｈ  Ｐａｒｔ：ＢＷＰ）について、NRによりサポートされるシステム帯域幅は、ＬＴＥの最大２０ＭＨｚのシステム帯域幅より遥かに大きい。ある端末に対して、能力が限られているため、全てのシステム帯域幅をサポートできるとは限らない。また、スケジューリング効率を高めるために、ＮＲは帯域幅部分（ＢＷＰ）の概念を導入する。ＲＲＣ接続状態で、ネットワークは、端末のために、１つ又は複数のＢＷＰを設定する。ＢＷＰは、主に、ベースパラメータセット及びキャリア間隔ＳＣＳを示すＮｕｍｅｒｏｌｏｇｙと、中央周波数点と、最大システム帯域幅以下である帯域幅という３つのパラメータを含む。
【００２８】
本発明の実施例において、端末は、受信した、あるＢＷＰをアクティブ化する命令に基づいて、ある設定したセカンダリセルをアクティブ化し、それと同時に、端末は、受信した、ＢＷＰを非アクティブ化する命令に基づいて、ある設定した、アクティブ化されたセカンダリセルを非アクティブ化すると決定することもできる。
【００２９】
前記のあるＢＷＰをアクティブ化するとは、あるセカンダリセルに設定されたＢＷＰをアクティブ化することを指す。つまり、１つのセカンダリセルは、複数のＢＷＰを設定することができる。前記アクティブ化されるあるＢＷＰは、設定された複数のＢＷＰのうちのいずれか１つのＢＷＰである。
【００３０】
前記のＢＷＰを非アクティブ化するとは、アクティブ化されたセカンダリセルに設定されたあるＢＷＰを非アクティブ化することを指す。
【００３１】
前記ターゲットＢＷＰに対応するセカンダリセルをアクティブ化する前に、前記方法は更に、
ターゲット帯域幅部分（ＢＷＰ）をアクティブ化する命令に基づいて、前記ターゲットＢＷＰに対応するセカンダリセルをアクティブ化するかどうかを判定することを含む。
【００３２】
以下、ＢＷＰに対応するセカンダリセルのアクティブ化及びＢＷＰに対応するセカンダリセルの非アクティブ化について、それぞれ説明する。
【００３３】
ＢＷＰに対応するセカンダリセルのアクティブ化において、ターゲット帯域幅部分（ＢＷＰ）をアクティブ化する命令に基づいて、前記ターゲットＢＷＰに対応するセカンダリセルをアクティブ化するかどうかを判定する。
【００３４】
具体的には、ターゲット帯域幅部分（ＢＷＰ）をアクティブ化する命令に基づいて、前記ターゲットＢＷＰに対応するセカンダリセルをアクティブ化するかどうかを判定することは、
ターゲットＢＷＰをアクティブ化する前記命令に基づいて、前記ターゲットＢＷＰに対応するセカンダリセルがアクティブ状態にあるかどうかを判定することと、
前記ターゲットＢＷＰに対応するセカンダリセルが非アクティブ状態にあれば、前記セカンダリセルをアクティブ化し、且つ前記セカンダリセルにおけるターゲットＢＷＰをアクティブ化すると決定することとを含む。
【００３５】
つまり、端末は、あるセカンダリセルに設定されたいずれか１つのＢＷＰをアクティブ化する命令を受信した時、該セカンダリセルが非アクティブ状態にあれば、該セカンダリセルをアクティブ化すると共に、該セカンダリセルにおける前記のいずれか１つのＢＷＰもアクティブ化する。
【００３６】
ＢＷＰに対応するセカンダリセルの非アクティブ化において、ターゲットＢＷＰを非アクティブ化する命令に基づいて、前記ターゲットＢＷＰに対応するセカンダリセルを非アクティブ化するかどうかを判定する。
【００３７】
具体的には、ターゲットＢＷＰをアクティブ化する命令に基づいて、前記ターゲットＢＷＰに対応するセカンダリセルを非アクティブ化するかどうかを判定することは、
端末がターゲットＢＷＰを非アクティブ化する命令を受信した時、ターゲットＢＷＰの所在するセカンダリセルに、前記ターゲットＢＷＰを非アクティブ化した後にアクティブ状態にある他のＢＷＰが存在するかどうかを判定することと、
存在しなければ、前記ターゲットＢＷＰの所在するセカンダリセルを非アクティブ化し、そうでなければ、前記セカンダリセルを非アクティブ化しないこととを含む。
【００３８】
端末は、あるセカンダリセルに設定されたＢＷＰを非アクティブ化する命令を受信した時、該セカンダリセルについて、前記ターゲットＢＷＰを非アクティブ化した後に、アクティブ状態にある設定されたＢＷＰが一切存在しなければ、該セカンダリセルを非アクティブ化し、前記ターゲットＢＷＰを非アクティブ化した後に、いずれか１つ又は複数の設定されたＢＷＰがアクティブ状態にあれば、該セカンダリセルをアクティブ化しない。
【００３９】
つまり、該セカンダリセルに他のアクティブ状態にあるＢＷＰが存在しない場合のみ、該セカンダリセルを非アクティブ化し、そうでなければ、前記セカンダリセルのアクティブ状態を保持する。
【００４０】
上記から分かるように、上記技術的解決手段によれば、ターゲットＢＷＰをアクティブ化及び／又は非アクティブ化することで、ターゲットＢＷＰの所在するセカンダリセルをアクティブ化及び／又は非アクティブ化するかどうかを制御することができる。従って、セカンダリセルがアクティブ化された後、該セルに設定されたＢＷＰがアクティブ化されていなければ、端末が依然として該セカンダリセルで作動できないという問題を避け、システムの処理効率を向上させる。
【００４１】
実施例２
本発明の実施例は端末装置を提供する。図２に示すように、該端末装置は、
ターゲット帯域幅部分（ＢＷＰ）をアクティブ化する命令に基づいて、前記ターゲットＢＷＰに対応するセカンダリセルをアクティブ化するように構成され、及び／又は
ターゲットＢＷＰを非アクティブ化する命令に基づいて、前記ターゲットＢＷＰに対応するセカンダリセルを非アクティブ化するように構成される処理ユニット２１を備える。
【００４２】
また、前記端末装置は更に、
前記セカンダリセルのために少なくとも１つの対応するＢＷＰを設定するように構成され、前記ＢＷＰが、少なくとも１つの下りＢＷＰを含む設定ユニット２２を備える。
【００４３】
本発明の実施例において、端末は、受信した、あるＢＷＰをアクティブ化する命令に基づいて、ある設定したセカンダリセルをアクティブ化し、それと同時に、端末は、受信した、ＢＷＰを非アクティブ化する命令に基づいて、ある設定した、アクティブ化されたセカンダリセルを非アクティブ化すると決定することもできる。
【００４４】
前記アクティブ化されるあるＢＷＰとは、前記ある設定したセカンダリセルに設定されたＢＷＰを指す。つまり、１つのセカンダリセルは、複数のＢＷＰを設定することができる。前記アクティブ化されるあるＢＷＰは、設定された複数のＢＷＰのうちのいずれか１つのＢＷＰである。
【００４５】
前記非アクティブ化されるＢＷＰとは、前記ある設定した、アクティブ化されたセカンダリセルに設定されたＢＷＰを指す。
【００４６】
前記処理ユニット２１は、ターゲット帯域幅部分（ＢＷＰ）をアクティブ化する命令に基づいて、前記ターゲットＢＷＰに対応するセカンダリセルをアクティブ化するかどうかを判定する。
【００４７】
以下、ＢＷＰに対応するセカンダリセルのアクティブ化及びＢＷＰに対応するセカンダリセルの非アクティブ化について、それぞれ説明する。
【００４８】
ＢＷＰに対応するセカンダリセルのアクティブ化において、処理ユニット２１は、ターゲット帯域幅部分（ＢＷＰ）をアクティブ化する命令に基づいて、前記ターゲットＢＷＰに対応するセカンダリセルをアクティブ化するかどうかを判定する。
【００４９】
具体的には、処理ユニット２１は、ターゲット帯域幅部分（ＢＷＰ）をアクティブ化する前記命令に基づいて、前記ターゲットＢＷＰに対応するセカンダリセルがアクティブ状態にあるかどうかを判定し、
前記ターゲットＢＷＰに対応するセカンダリセルが非アクティブ状態にあれば、前記セカンダリセルをアクティブ化し、且つ前記セカンダリセルにおけるターゲットＢＷＰをアクティブ化すると決定する。
【００５０】
つまり、端末は、あるセカンダリセルに設定されたいずれか１つのＢＷＰをアクティブ化する命令を受信した時、該セカンダリセルが非アクティブ状態にあれば、該セカンダリセルをアクティブ化すると共に、該セカンダリセルにおける前記のいずれか１つのＢＷＰもアクティブ化する。
【００５１】
ＢＷＰに対応するセカンダリセルの非アクティブ化において、ターゲットＢＷＰを非アクティブ化する命令に基づいて、前記ターゲットＢＷＰに対応するセカンダリセルを非アクティブ化するかどうかを判定する。
【００５２】
具体的には、処理ユニット２１は、端末がターゲットＢＷＰを非アクティブ化する命令を受信した時、ターゲットＢＷＰの所在するセカンダリセルに、前記ターゲットＢＷＰを非アクティブ化した後にアクティブ状態にある他のＢＷＰが存在するかどうかを判定し、
存在しなければ、前記ターゲットＢＷＰの所在するセカンダリセルを非アクティブ化し、そうでなければ、前記セカンダリセルを非アクティブ化しない。
【００５３】
端末は、あるセカンダリセルに設定されたＢＷＰを非アクティブ化する命令を受信した時、該セカンダリセルについて、前記ターゲットＢＷＰを非アクティブ化した後に、アクティブ状態にある設定されたＢＷＰが一切存在しなければ、該セカンダリセルを非アクティブ化し、前記ターゲットＢＷＰを非アクティブ化した後に、いずれか１つ又は複数の設定されたＢＷＰがアクティブ状態にあれば、該セカンダリセルをアクティブ化しない。
【００５４】
つまり、該セカンダリセルに他のアクティブ状態にあるＢＷＰが存在しない場合のみ、該セカンダリセルを非アクティブ化し、そうでなければ、前記セカンダリセルのアクティブ状態を保持する。
【００５５】
上記から分かるように、上記技術的解決手段によれば、ターゲットＢＷＰをアクティブ化及び／又は非アクティブ化することで、ターゲットＢＷＰの所在するセカンダリセルをアクティブ化及び／又は非アクティブ化するかどうかを制御することができる。従って、セカンダリセルがアクティブ化された後、該セルに設定されたＢＷＰがアクティブ化されていなければ、端末が依然として該セカンダリセルで作動できないという問題を避け、システムの処理効率を向上させる。
【００５６】
本発明の実施例は、端末装置のハードウェアアーキテクチャを更に提供する。図３に示すように、該端末装置のハードウェアアーキテクチャは、少なくとも１つのプロセッサ３１と、メモリ３２と、少なくとも１つのネットワークインタフェース３３とを備える。各コンポーネントはバスシステム３４を介して結合される。バスシステム３４は、これらのコンポーネント間の接続及び通信を実現するために用いられることが理解されたい。バスシステム３４は、データバスに加えて、電源バスと、制御バスと、状態信号バスとを備える。明確にするために、図３において、様々なバスをバスシステム３４とする。
【００５７】
本発明の実施例におけるメモリ３２は、揮発性メモリ又は不揮発性メモリであってもよいし、揮発性メモリと不揮発性メモリの両方を含んでもよい。
【００５８】
幾つかの態様において、メモリ３２には、オペレーティングシステム３２１及びアプリケーションプログラム３２２の実行可能なモジュール又はデータ構成、又はそれらの部分集合、それらの拡張集合が記憶されている。
【００５９】
ここで、前記プロセッサ３１は、ターゲット帯域幅部分（ＢＷＰ）をアクティブ化する命令に基づいて、前記ターゲットＢＷＰに対応するセカンダリセルをアクティブ化し、及び／又は
ターゲットＢＷＰを非アクティブ化する命令に基づいて、前記ターゲットＢＷＰに対応するセカンダリセルを非アクティブ化することができるように設定される。
【００６０】
更に、図３に示した端末装置は、実施例１における全ての方法の工程を実行することができる。ここで説明を省略する。
【００６１】
本発明の実施例は、コンピュータ記憶媒体を提供し、前記コンピュータ記憶媒体には、コンピュータによる実行可能な命令が記憶されており、前記コンピュータによる実行可能な命令が実行される時、上記方法の工程が実現される。
【００６２】
本発明の実施例における上記装置は、ソフトウェア機能モジュールの形式で実現され、且つ独立した製品として販売又は使用される時、１つのコンピュータ読み取り可能な記憶媒体中に記憶されていてもよい。このような理解に基づいて、本発明の実施例の技術的解決手段は、実質的に又は従来技術に貢献する部分は、ソフトウェア製品の形式で表現することができ、当該コンピュータソフトウェア製品は、１つの記憶媒体に記憶されて、若干の命令を含み、一台のコンピュータデバイス（例えば、パーソナルコンピュータ、サーバ、又はネットワークデバイス等）が本発明の各実施例に記述した方法の全て又は一部を実行するようにする。上述の記憶媒体は、Ｕディスク、リムーバブルハードディスク、読み出し専用メモリ（Ｒｅａｄ  Ｏｎｌｙ  Ｍｅｍｏｒｙ：ＲＯＭ）、磁気ディスク、又は光ディスクなどの、プログラムコードを記憶することができる各種の媒体を含んでも良い。このように、本発明の実施例は、ハードウェアとソフトウェアの任意の特定の組み合わせに限定されるものではない。
【００６３】
それに対応して、本発明の実施例はコンピュータ記憶媒体を更に提供し、該コンピュータ記憶媒体にはコンピュータプログラムが記憶されており、該コンピュータプログラムは、本発明の実施例のセルのアクティブ化及び非アクティブ化方法を実行するように設定される。
【００６４】
例示するために、既に本発明の好ましい実施例を開示したが、当業者は各種の改良、増加及び切り替えも可能なものであることを意識することができ、このため、本発明の範囲は上記実施例に限定しないべきである。
【手続補正２】
【補正対象書類名】特許請求の範囲
【補正対象項目名】全文
【補正方法】変更
【補正の内容】
【特許請求の範囲】
【請求項１】
端末装置に適用されるセルのアクティブ化及び非アクティブ化方法であって、
ターゲット帯域幅部分（ＢＷＰ）をアクティブ化する命令に基づいて、前記ターゲットＢＷＰに対応するセカンダリセルをアクティブ化すること、及び／又は
ターゲットＢＷＰを非アクティブ化する命令に基づいて、前記ターゲットＢＷＰに対応するセカンダリセルを非アクティブ化することを含むことを特徴とする、前記方法。
【請求項２】
前記方法は更に、
前記セカンダリセルのために少なくとも１つの対応するＢＷＰを設定することであって、前記ＢＷＰが、少なくとも１つの下りＢＷＰを含むことを含むことを特徴とする
請求項１に記載の方法。
【請求項３】
前記ターゲットＢＷＰに対応するセカンダリセルをアクティブ化する前に、前記方法は更に、
ターゲット帯域幅部分（ＢＷＰ）をアクティブ化する命令に基づいて、前記ターゲットＢＷＰに対応するセカンダリセルをアクティブ化するかどうかを判定することを含むことを特徴とする
請求項１に記載の方法。
【請求項４】
ターゲット帯域幅部分（ＢＷＰ）をアクティブ化する命令に基づいて、前記ターゲットＢＷＰに対応するセカンダリセルをアクティブ化するかどうかを判定することは、
前記ターゲットＢＷＰをアクティブ化する命令に基づいて、前記ターゲットＢＷＰに対応するセカンダリセルがアクティブ状態にあるかどうかを判定することと、
前記ターゲットＢＷＰに対応するセカンダリセルが非アクティブ状態にあれば、前記セカンダリセルをアクティブ化し、且つ前記セカンダリセルにおけるターゲットＢＷＰをアクティブ化すると決定することとを含むことを特徴とする
請求項３に記載の方法。
【請求項５】
前記ターゲットＢＷＰに対応するセカンダリセルを非アクティブ化する前に、前記方法は更に、
ターゲットＢＷＰを非アクティブ化する命令に基づいて、前記ターゲットＢＷＰに対応するセカンダリセルを非アクティブ化するかどうかを判定することを含むことを特徴とする
請求項１に記載の方法。
【請求項６】
ターゲットＢＷＰをアクティブ化する命令に基づいて、前記ターゲットＢＷＰに対応するセカンダリセルを非アクティブ化するかどうかを判定することは、
端末がターゲットＢＷＰを非アクティブ化する命令を受信した時、ターゲットＢＷＰの所在するセカンダリセルに、前記ターゲットＢＷＰを非アクティブ化した後にアクティブ状態にある他のＢＷＰが存在するかどうかを判定することと、
存在しなければ、前記ターゲットＢＷＰの所在するセカンダリセルを非アクティブ化し、そうでなければ、前記セカンダリセルを非アクティブ化しないこととを含むことを特徴とする
請求項５に記載の方法。
【請求項７】
端末装置であって、
ターゲット帯域幅部分（ＢＷＰ）をアクティブ化する命令に基づいて、前記ターゲットＢＷＰに対応するセカンダリセルをアクティブ化するように構成され、及び／又は
ターゲットＢＷＰを非アクティブ化する命令に基づいて、前記ターゲットＢＷＰに対応するセカンダリセルを非アクティブ化するように構成される処理ユニットを備えることを特徴とする、前記端末装置。
【請求項８】
前記端末装置は更に、
前記セカンダリセルのために少なくとも１つの対応するＢＷＰを設定するように構成され、前記ＢＷＰが、少なくとも１つの下りＢＷＰを含む設定ユニットを備えることを特徴とする
請求項７に記載の端末装置。
【請求項９】
前記処理ユニットは、ターゲット帯域幅部分（ＢＷＰ）をアクティブ化する命令に基づいて、前記ターゲットＢＷＰに対応するセカンダリセルをアクティブ化するかどうかを判定するように構成されることを特徴とする
請求項７に記載の端末装置。
【請求項１０】
前記処理ユニットは、前記ターゲットＢＷＰをアクティブ化する命令に基づいて、前記ターゲットＢＷＰに対応するセカンダリセルがアクティブ状態にあるかどうかを判定し、
前記ターゲットＢＷＰに対応するセカンダリセルが非アクティブ状態にあれば、前記セカンダリセルをアクティブ化し、且つ前記セカンダリセルにおけるターゲットＢＷＰをアクティブ化すると決定するように構成されることを特徴とする
請求項９に記載の端末装置。
【請求項１１】
前記処理ユニットは、ターゲットＢＷＰを非アクティブ化する命令に基づいて、前記ターゲットＢＷＰに対応するセカンダリセルを非アクティブ化するかどうかを判定するように構成されることを特徴とする
請求項７に記載の端末装置。
【請求項１２】
前記処理ユニットは、端末がターゲットＢＷＰを非アクティブ化する命令を受信した時、ターゲットＢＷＰの所在するセカンダリセルに、前記ターゲットＢＷＰを非アクティブ化した後にアクティブ状態にある他のＢＷＰが存在するかどうかを判定し、
存在しなければ、前記ターゲットＢＷＰの所在するセカンダリセルを非アクティブ化し、そうでなければ、前記セカンダリセルを非アクティブ化しないように構成されることを特徴とする
請求項１１に記載の端末装置。
【請求項１３】
端末装置であって、
プロセッサと、プロセッサ上で実行されるコンピュータプログラムを記憶するためのメモリとを備え、
前記プロセッサは、前記コンピュータプログラムを実行する時、請求項１−６のうちいずれか一項に記載の方法を実行するように構成されることを特徴とする、前記端末装置。
【請求項１４】
コンピュータ記憶媒体であって、前記コンピュータ記憶媒体には、コンピュータによる実行可能な命令が記憶されており、前記コンピュータによる実行可能な命令が実行される時、請求項１−６のうちいずれか一項に記載の方法が実現されることを特徴とする、前記コンピュータ記憶媒体。
【請求項１５】
コンピュータプログラムであって、コンピュータにより実行される時に、請求項１−６のうちいずれか一項に記載のセルのアクティブ化及び非アクティブ化方法を実行するための命令を含む前記コンピュータプログラム。
【国際調査報告】
2021501483.tif 000006
2021501483.tif 000007
2021501483.tif 000008
2021501483.tif 000009